(57)【要約】  【課題】各種の薬液を供給するための薬液供給装置に関し、薬液に接触する機構部のようなものを一切具備させず、従って薬液による機構部の腐食やエネルギーロス等を生じさせることがない薬液供給装置を提供することを課題とする。  【解決手段】薬液を収容した収容容器と、該収容容器内の前記薬液が存在しない気相部にエアーを供給するエアー供給手段と、該エアー供給手段により供給されたエアーによって前記薬液の液面が押し下げられたときに、該薬液を流入させて収容容器の外部へ薬液を供給するための薬液供給パイプとを具備することを特徴とする。【選択図】図２
2007321580.tif 000002
【特許請求の範囲】
【請求項１】
薬液を収容した収容容器（１）と、該収容容器（１）内の前記薬液が存在しない気相部（２）にエアーを供給するエアー供給手段と、該エアー供給手段により供給されたエアーによって前記薬液の液面が押し下げられたときに、該薬液を流入させて収容容器（１）の外部へ薬液を供給するための薬液供給パイプ（７）とを具備することを特徴とする薬液供給装置。
【請求項２】
エアー供給手段がエアーポンプ（４）、及び該エアーポンプ（４）に接続され且つ収容容器（１）内の気相部（２）に臨出するエアー供給パイプ（３）である請求項１記載の薬液供給装置。
【請求項３】
エアー供給手段がタイマーで作動するように構成されている請求項１又は２記載の薬液供給装置。
【発明の詳細な説明】
【技術分野】
【０００１】
本発明は、各種の薬液を供給するための薬液供給装置に関する。
【背景技術】
【０００２】
一般に、各種の薬液を供給する装置として、ポンプ機構を備えた容器のようなものが用いられている。このようなポンプ機構を備えた薬液供給装置として、たとえば下記特許文献１に記載されたような発明がある。
【０００３】
【特許文献１】特開平１１−２９３７４２号公報
【０００４】
この特許文献１に開示された薬液供給装置のように、内部にポンプ機構等の機構部を備えたものは、その機構部が、容器に収容された薬液に接触しており、長期使用によって薬液と接触する機構部が腐食する等のおそれがあった。
【０００５】
また、その機構部において部材の上下動等が生じる際に、各部材が薬液に接触しているので、薬液を供給する上でエネルギーロス等が生じるおそれがあった。
【発明の開示】
【発明が解決しようとする課題】
【０００６】
本発明は、このような問題点を解決するためになされたもので、薬液に接触する機構部のようなものを一切具備させず、従って薬液による機構部の腐食やエネルギーロス等を生じさせることがない薬液供給装置を提供することを課題とする。
【課題を解決するための手段】
【０００７】
本発明は、このような課題を解決するためになされたもので、請求項１記載の発明は、薬液を収容した収容容器１と、該収容容器１内の前記薬液が存在しない気相部２にエアーを供給するエアー供給手段と、該エアー供給手段により供給されたエアーによって前記薬液の液面が押し下げられたときに、該薬液を流入させて収容容器１の外部へ薬液を供給するための薬液供給パイプ７とを具備することを特徴とする。
【０００８】
また請求項２記載の発明は、請求項１記載の薬液の供給装置において、エアー供給手段がエアーポンプ４、及び該エアーポンプ４に接続され且つ収容容器１内の気相部２に臨出するエアー供給パイプ３であることを特徴とする。
【０００９】
さらに請求項３記載の発明は、請求項１又は２記載の薬液の供給装置において、エアー供給手段がタイマーで作動するように構成されていることを特徴とする。
【発明の効果】
【００１０】
本発明は、上述のように薬液を収容した収容容器と、該収容容器内の前記薬液が存在しない気相部にエアーを供給するエアー供給手段と、該エアー供給手段により供給されたエアーによって前記薬液の液面が押し下げられたときに、該薬液を流入させて収容容器の外部へ薬液を供給するための薬液供給パイプとを具備させたものであるため、先ずエアー供給手段によって収容容器内の気相部にエアーを供給することによって該気相部内の圧力が徐々に高まり、それによって、薬液の液面が押し下げられることとなる。
【００１１】
このようにして薬液の液面が押し下げられると、その薬液の一部は前記供給パイプに流入し、液面が下がった分の容量の薬液が該供給パイプを介して収容容器の外部へ供給されることとなる。
【００１２】
この場合において、薬液の液面を押し下げて供給パイプを介して収容容器の外部へ薬液を供給する駆動力は、前記収容容器の気相部に吹き込まれるエアーのみによって生じさせられるため、一般のポンプ機構を容器の内部に備えた薬液供給装置のように、薬液に機構部分が接触するようなことが一切なく、従って薬液による機構部の腐食のような問題が生じることもなく、またポンプ機構を容器の内部に備えた薬液供給装置に比べて薬液を供給する駆動力にエネルギーロス等を生じさせる可能性が著しく少なくなるという効果がある。
【発明を実施するための最良の形態】
【００１３】
以下、本発明の実施形態について図面に従って説明する。
【００１４】
本実施形態の薬液供給装置は、図１に示すように、薬液を収容するための収容容器１と、該収容容器１内の気相部２にエアー内に供給するためのエアー供給パイプ３と、該エアー供給パイプ３に接続されたエアーポンプ４と、前記エアー供給パイプ３から吹き込まれたエアーによって収容容器１内の薬液５の液面６が押し下げられたときに、該薬液５を流入させて収容容器１の外部へ供給するための薬液供給パイプ７とで構成されている。
【００１５】
収容容器１は、容器本体８と蓋体９とからなり、該蓋体９が容器本体８に固着されることによって収容容器１内が密閉空間となり、該収容容器１内に薬液５が収容された状態で、その薬液５が収容された部分が液相部、それ以外の部分が気相部２となる。
【００１６】
エアー供給パイプ３の一端３ａ側は、前記エアーポンプ４に接続され、該エアー供給パイプ３の他端３ｂ側は、前記収容容器１の蓋体９を貫通して、該収容容器１内の気相部２内に臨出した状態となっている。つまり、エアー供給パイプ３の他端３ｂ側は薬液５に浸漬されない状態とされている。
【００１７】
また薬液供給パイプ７の一端７ａ側は、薬液５に浸漬した状態となっており、該
薬液供給パイプ７の他端側は、図示しないが薬液の供給先まで延出されている。
【００１８】
エアーポンプ４はタイマーで作動するように構成されており、それによって前記薬液供給パイプ７からの薬液の供給量がエアーポンプ４の作動時間、より詳しくはエアーポンプ４を駆動させるモータの作動時間を調製することができるのである。
【００１９】
薬液の種類は特に限定されるものではなく、たとえば各種の洗浄剤、洗面所等に設置される手洗剤、尿石除去剤等の各種の薬液を用いることができる。
【００２０】
そして、このような構成からなる薬液供給装置を使用する場合には、先ずエアーポンプ４からエアー供給パイプ３を介して図２の矢印方向に示すように収容容器１内の気相部２にエアーを供給する。このようにエアーが気相部２内に供給されることによって、該気相部２内の圧力が徐々に高まり、それによって、図２の２点鎖線及び実線で示すように薬液の液面が押し下げられることとなる。
【００２１】
薬液５の液面６が押し下げられると、その薬液５の一部が図２の矢印方向に示すように薬液供給パイプ７に流入し、液面６が下がった分の容量の薬液５が該薬液供給パイプ７の一端側７ａから該薬液供給パイプ７を上向きに流入し、該薬液供給パイプ７から収容容器１の外部、具体的には洗面所などの供給先に供給されることとなる。
【００２２】
そして供給先である洗面所等において、前記薬液供給パイプ７の他端側（図示せず）から薬液が吐出されることとなる。
【００２３】
このように薬液が供給される場合において、薬液５の液面６を押し下げ、薬液供給パイプ７を介して収容容器１の外部へ薬液を供給する駆動力は、収容容器１の外部のエアーポンプ４によってエアー供給パイプ３から気相部２に吹き込まれるエアーのみによって生じさせることができるため、収容容器１内にはポンプ機構のような機構部を設ける必要が一切なく、従って、そのような機構部が薬液に接触するようなこともない。この結果、薬液による機構部の腐食のような問題が生じることもなく、薬液を供給する駆動力にエネルギーロス等を生じさせる可能性も少ない。
【００２４】
また、エアーポンプ４はタイマーで作動するように構成されており、それによって薬液供給パイプ７からの薬液の供給量がエアーポンプ４の作動時間で調製することができる。
【００２５】
尚、上記実施形態では、薬液として洗浄剤等を用い、薬液供給装置を洗面所等に設置する場合について説明したが、薬液供給装置の用途は該実施形態に限定されるものではなく、たとえば薬液として尿石除去剤を用い、薬液供給装置を男子用小便器に設置するような用途に用いることも可能である。
【００２６】
このような男子用小便器に設置される薬液供給装置は、たとえば固形の薬剤を容器に収容し、水洗時にその容器に水が流れて薬剤を溶解させて薬液とし、男子用小便器に流出されるようなものもあるが、本発明の薬液供給装置は収容容器１内に液状の尿石除去剤を収容し、上記のように収容容器１、エアーポンプ４、エアー供給パイプ３、
薬液供給パイプ７を備えただけの簡易な構成の薬液供給装置を用いて、薬液供給パイプ７から液状の尿石除去剤を男子用小便器に放出させることができるので、上記のような水洗時の水を利用する必要がなく、従って男子用小便器の利用時以外でも尿石除去剤を男子用小便器に供給することができる。
【００２７】
また、このような男子用小便器に設置される薬液供給装置に適用する場合、上記のようにエアーポンプ４をタイマーで作動するように構成すれば、たとえば公衆便所等において、一般に利用者がきわめて少ないと思われる夜間時等においても、エアーポンプ４をタイマーで作動させることによって、尿石除去剤を男子用小便器に供給することができるのである。
【００２８】
さらに上記実施形態では、収容容器１が容器本体８と蓋体９とで構成されていたが、収容容器１の構成も該実施形態に限定されるものではない。
【００２９】
尚、上記のような収容容器１、エアーポンプ４、エアー供給パイプ３、薬液供給パイプ７等を、たとえばケーシング等に収納して薬液供給装置を構成することも可能である。
【００３０】
さらに上記実施形態では、エアーポンプ４をタイマーで作動するように構成したため、上記のような好ましい効果が得られたが、このようにエアーポンプ４をタイマーで作動するように構成することは本発明に必須の条件ではない。
【００３１】
さらに上記実施形態では、エアーを収容容器１の気相部２へ供給する手段として
エアーポンプ４を用いたが、エアーを気相部２へ供給する手段は該実施形態のエアーポンプ４に限定されるものではない。
【００３２】
また、装置に具備させる収容容器１の数も上記実施形態のように１個に限らず、
用途に応じて２個以上併設させることも可能である。この場合には、異なる種類の薬液を使用することもできる。
【図面の簡単な説明】
【００３３】
【図１】一実施形態の薬液供給装置の一部断面概略正面図。
【図２】薬液供給装置を作動させる状態の一部断面概略正面図。
【符号の説明】
【００３４】
１…収容容器            ２…気相部
３…エアー供給パイプ    ４…エアーポンプ
５…薬液                ６…液面
７…薬液供給パイプ
【図１】
2007321580.tif 000003
【図２】
2007321580.tif 000004